(57)【要約】      （修正有）【課題】軽量性、経済性に富み、滑り性に優れると共に、装着した脚カバーの嵌合強度が適度なものであり、使用後に容易に取り外し可能な脚カバー付き合成樹脂発泡体製パレットを提供する。【解決手段】３０〜１００倍の発泡倍率を有する合成樹脂発泡体からなり、平板状のデッキ部２と、デッキ部の下方に突出する脚部３ａとを一体的に有し、脚部に脚カバー３０ａが装着された脚カバー付き合成樹脂発泡体製パレット１であって、パレットの脚部に、接地面側の開口部が円形状である凹陥部４ａが形成されており、脚カバーが、パレットの脚部の接地面を覆う底部３１ａと、底部から立ち上る脚部の凹陥部に挿入される先細りの突部３２ａとを有し、パレットの脚部に形成された凹陥部の開口部内径（Ｄ）と、脚カバーの突部の外径寸法における長径（Ｌ１）及び短径（Ｌ２）とが、Ｌ１  ＞  Ｄ  ＞  Ｌ２  及び１．２  ＞  Ｌ１／Ｄ  の関係を満足するものとした。【選択図】図４
0003220486.tif 000002
【実用新案登録請求の範囲】
【請求項１】
３０〜１００倍の発泡倍率を有する合成樹脂発泡体からなり、平板状のデッキ部と、該デッキ部の少なくとも四隅に形成されたデッキ部の下方に突出する脚部とを一体的に有し、前記脚部に合成樹脂からなる脚カバーが装着された脚カバー付き合成樹脂発泡体製パレットであって、
上記パレットの脚部に、接地面側の開口部が円形状或いは正方形状である凹陥部が形成されており、
上記脚カバーが、上記パレットの脚部の接地面を覆う底部と、該底部から立ち上る上記脚部の凹陥部に挿入される先細りの突部とを有し、
上記脚カバーの突部の底部から立ち上がる部分の断面形状が、上記パレットの脚部に形成された凹陥部の開口部が円形状である場合には楕円形状であり、上記パレットの脚部に形成された凹陥部の開口部が正方形状である場合には楕円形状或いは長方形状であり、上記パレットの脚部に形成された凹陥部の開口部内径（Ｄ）と、上記脚カバーの突部の外径寸法における長径（Ｌ１）及び短径（Ｌ２）とが、下記の式１及び式２を満足することを特徴とする、脚カバー付き合成樹脂発泡体製パレット。
Ｌ１  ＞  Ｄ  ＞  Ｌ２    ・・・式１
１．２  ＞  Ｌ１／Ｄ      ・・・式２
なお、上記パレットの脚部に形成された凹陥部の開口部内径（Ｄ）とは、開口部が円形状である場合は該円の直径であり、開口部が正方形状である場合は該正方形の一辺の長さである。また、上記脚カバーの突部の外径寸法における長径（Ｌ１）及び短径（Ｌ２）とは、底部から立ち上がる部分の突部の断面形状が楕円形状である場合は該楕円の長軸及び短軸のそれぞれの長さであり、底部から立ち上がる部分の突部の断面形状が長方形状である場合は該長方形の長辺及び短辺のそれぞれの長さである。
【請求項２】
上記パレットの脚部の凹陥部の側面と上記脚カバーの突部の側面との角度差が、０〜５度であることを特徴とする、請求項１に記載の脚カバー付き合成樹脂発泡体製パレット。
【請求項３】
上記脚カバーが、上記底部の周縁から上方に向かって立ち上がり、上記パレットの脚部の外側面を覆う側壁部を有することを特徴とする、請求項１又は２に記載の脚カバー付き合成樹脂発泡体製パレット。
【請求項４】
上記パレットの脚部の高さ（Ｈ）に対する、上記脚カバーの側壁部の高さ（Ｔ）が、下記の式３を満足することを特徴とする、請求項３に記載の脚カバー付き合成樹脂発泡体製パレット。
Ｔ／Ｈ  ＝  ０．１〜０．５    ・・・式３
【請求項５】
上記パレットの脚部が、デッキ部の四隅、四隅の中間及びデッキ部の中央に合計９個形成され、それらの脚部の全てに脚カバーが装着されていることを特徴とする、請求項１〜４のいずれかに記載の脚カバー付き合成樹脂発泡体製パレット。
【請求項６】
上記脚カバーが、０．２〜０．８ｍｍの厚さを有することを特徴とする、請求項１〜５のいずれかに記載の脚カバー付き合成樹脂発泡体製パレット。
【請求項７】
上記脚カバーが、ポリエチレンテレフタレート系樹脂又は耐衝撃性ポリスチレン系樹脂からなることを特徴とする、請求項１〜６のいずれかに記載の脚カバー付き合成樹脂発泡体製パレット。
【考案の詳細な説明】
【技術分野】
【０００１】
本考案は、合成樹脂発泡体を用いたワンウェイタイプのパレットに関し、特に、脚部の保護及び摩擦の低減が図られた脚カバー付き合成樹脂発泡体製パレットに関するものである。
【背景技術】
【０００２】
従来、みかん、バレイショ、大根、白菜、人参等の果実、野菜などの、比較的軽量で且つ衛生的であることが要求される物品の搬送に用いるパレットとしては、合成樹脂製のパレットが使用されており、その多くはレンタル方式で繰返し使用することがなされていた。しかし、生産地から遠距離の市場に輸送する場合や、数ヶ所の市場を経由して輸送する場合などにおいては、パレットの回収率が悪く、レンタル方式が成り立たない場合があった。
そこで、繰り返し使用を想定せず、回収を行わないワンウェイタイプのパレットが存在している。ワンウェイパレットとしては、軽量性及び経済性に優れることから合成樹脂発泡体製パレットが好適に使用されている。
【０００３】
合成樹脂発泡体製パレットの使用においては、その摩擦係数が大きいことから、トラックへの積み込み、荷下ろしにおいて荷台床面との抵抗を低下させ、床面上を滑らせてパレットを移動させることが要求され、その為にパレットの脚部の滑り性及び強度を向上させたいという要望がある。
ここで、特許文献１には、パレットの脚とパレット載置面間の摩擦を減少させ、またフォークリフトのフォークが衝突して構造的損傷を受けないように脚を保護するため、パレットの脚に低い摩擦係数のキャップを嵌めたポリスチレン発泡体製パレットが開示されている。
【先行技術文献】
【特許文献】
【０００４】
【特許文献１】特開平８−２６２７７号公報
【考案の開示】
【考案が解決しようとする課題】
【０００５】
しかしながら、上記特許文献１に開示されたパレットは、ポリスチレン発泡体からなるものの、４８〜８０ｋｇ／ｍ3と高密度であるために軽量性に劣ると共に高価なものとなり、ワンウェイパレットとして使用するには不向きであった。
また、特許文献１には、低い摩擦係数のキャップをパレットの脚にぴったり合うように嵌めて取り付けることが記載されているが、互いに嵌合するためのパレットの脚の凹みとキャップの突起との具体的な関係については明示されておらず、嵌合する部分の形状、寸法等によっては、嵌合強度に問題が生じたり、また脚の凹みと装着したキャップとの間に閉じ込められた空気が圧縮された際の空気圧によってキャップが外れたりしてしまうことが生じ得るものであった。
【０００６】
本考案は、上述した背景技術が有する実情に鑑みて成されたものであって、その目的とするところは、軽量性、経済性に富み、滑り性に優れると共に、脚カバーの装着が容易であり、装着した脚カバーの嵌合強度に優れる脚カバー付き合成樹脂発泡体製パレットを提供することにある。
【課題を解決するための手段】
【０００７】
上記した目的を達成するため、本考案は、次の〔１〕〜〔７〕に記載した脚カバー付き合成樹脂発泡体製パレットとした。
〔１〕  ３０〜１００倍の発泡倍率を有する合成樹脂発泡体からなり、平板状のデッキ部と、該デッキ部の少なくとも四隅に形成されたデッキ部の下方に突出する脚部とを一体的に有し、前記脚部に合成樹脂からなる脚カバーが装着された脚カバー付き合成樹脂発泡体製パレットであって、
上記パレットの脚部に、接地面側の開口部が円形状或いは正方形状である凹陥部が形成されており、
上記脚カバーが、上記パレットの脚部の接地面を覆う底部と、該底部から立ち上る上記脚部の凹陥部に挿入される先細りの突部とを有し、
上記脚カバーの突部の底部から立ち上がる部分の断面形状が、上記パレットの脚部に形成された凹陥部の開口部が円形状である場合には楕円形状であり、上記パレットの脚部に形成された凹陥部の開口部が正方形状である場合には楕円形状或いは長方形状であり、上記パレットの脚部に形成された凹陥部の開口部内径（Ｄ）と、上記脚カバーの突部の外径寸法における長径（Ｌ１）及び短径（Ｌ２）とが、下記の式１及び式２を満足することを特徴とする、脚カバー付き合成樹脂発泡体製パレット。
Ｌ１  ＞  Ｄ  ＞  Ｌ２    ・・・式１
１．２  ＞  Ｌ１／Ｄ      ・・・式２
なお、上記パレットの脚部に形成された凹陥部の開口部内径（Ｄ）とは、開口部が円形状である場合は該円の直径であり、開口部が正方形状である場合は該正方形の一辺の長さである。また、上記脚カバーの突部の外径寸法における長径（Ｌ１）及び短径（Ｌ２）とは、底部から立ち上がる部分の突部の断面形状が楕円形状である場合は該楕円の長軸及び短軸のそれぞれの長さであり、底部から立ち上がる部分の突部の断面形状が長方形状である場合は該長方形の長辺及び短辺のそれぞれの長さである。
〔２〕  上記パレットの脚部の凹陥部の側面と上記脚カバーの突部の側面との角度差が、０〜５度であることを特徴とする、上記〔１〕に記載の脚カバー付き合成樹脂発泡体製パレット。
〔３〕  上記脚カバーが、上記底部の周縁から上方に向かって立ち上がり、上記パレットの脚部の外側面を覆う側壁部を有することを特徴とする、上記〔１〕又は〔２〕に記載の脚カバー付き合成樹脂発泡体製パレット。
〔４〕  上記パレットの脚部の高さ（Ｈ）に対する、上記脚カバーの側壁部の高さ（Ｔ）が、下記の式３を満足することを特徴とする、上記〔３〕に記載の脚カバー付き合成樹脂発泡体製パレット。
Ｔ／Ｈ  ＝  ０．１〜０．５    ・・・式３
〔５〕  上記パレットの脚部が、デッキ部の四隅、四隅の中間及びデッキ部の中央に合計９個形成され、それらの脚部の全てに脚カバーが装着されていることを特徴とする、上記〔１〕〜〔４〕のいずれかに記載の脚カバー付き合成樹脂発泡体製パレット。
〔６〕  上記脚カバーが、０．２〜０．８ｍｍの厚さを有することを特徴とする、上記〔１〕〜〔５〕のいずれかに記載の脚カバー付き合成樹脂発泡体製パレット。
〔７〕  上記脚カバーが、ポリエチレンテレフタレート系樹脂又は耐衝撃性ポリスチレン系樹脂からなることを特徴とする、上記〔１〕〜〔６〕のいずれかに記載の脚カバー付き合成樹脂発泡体製パレット。
【考案の効果】
【０００８】
上記した本考案に係る脚カバー付き合成樹脂発泡体製パレットによれば、３０〜１００倍と高発泡の合成樹脂発泡体製パレットの脚部に合成樹脂からなる脚カバーを装着したものであるので、軽量性を維持しつつ滑り性に優れるものとなり、トラックへの積み込み、荷下ろしの際の荷台床面と脚部の抵抗が少なく、積み込み、荷下ろしが容易なものとなる。また、パレットが高発泡であるために撓み易く、さらに脚カバーの底部から立ち上がる部分の突部の断面形状が楕円形状或いは長方形状であり、パレットの脚部に形成された円形状或いは正方形状の凹陥部の開口部内径（Ｄ）と、前記突部の外径寸法における長径（Ｌ１）及び短径（Ｌ２）とが特定の関係式を満足することにより、パレットと脚カバーとの嵌合が容易であり、なおかつ嵌合強度に優れるものとなる。 
【図面の簡単な説明】
【０００９】
【図１】本考案に係る脚カバー付き合成樹脂発泡体製パレットの一実施形態を示した斜視図である。
【図２】合成樹脂発泡体製パレットの脚部に脚カバーを装着する前の状態を示した部分拡大斜視図である。
【図３】図１のＡ−Ａ腺に沿う部分の拡大断面図である。
【図４】（ａ）は四隅に設けた脚部の底面図であり、（ｂ）は四隅に設けた脚部に装着する脚カバーの底面図である。
【図５】（ａ）は四隅中央に設けた脚部の底面図であり、（ｂ）は四隅中央に設けた脚部に装着する脚カバーの底面図である。
【図６】（ａ）は中央に設けた脚部の底面図であり、（ｂ）は中央に設けた脚部に装着する脚カバーの底面図である。
【図７】（ａ）は合成樹脂発泡体製パレットの脚部に設けられた凹陥部の断面図であり、（ｂ）は脚カバーに設けられた突部の断面図である。
【図８】脚カバーに設けられた突部の断面形状を示した図であって、（ａ）は一方が開放された突部の断面図であり、（ｂ）は封鎖された形状の突部の断面図である。
【図９】脚カバーの嵌め易さを評価する方法を概念的に示した断面図である。
【図１０】脚カバーの嵌合強度を評価する方法を概念的に示した斜視図である。
【考案を実施するための形態】
【００１０】
以下、本考案に係る脚カバー付き合成樹脂発泡体製パレットの実施形態について、図面に基づいて詳細に説明する。
【００１１】
本考案に係る脚カバー付き合成樹脂発泡体製パレット１は、図１に示したように、荷物が載せられる平板状のデッキ部２と、該デッキ部２の下面に設けられフォークリフトの爪が差し込まれる間隙を確保してデッキ部２を支える脚部３とが、合成樹脂発泡体により一体的に形成されており、上記脚部３に、合成樹脂からなる脚カバー３０が装着されたものである。
【００１２】
上記デッキ部２の形状寸法は、パレットとしての利便性の観点、また取扱性の観点などから、幅は９００〜１３００ｍｍ、長さは９００〜１３００ｍｍ、厚さは４０〜８０ｍｍの矩形状のものであることが好ましく、幅は９６０〜１２００ｍｍ、長さは９６０〜１２００ｍｍ、厚さは５０〜７０ｍｍの矩形状のものであることが更に好ましい。図示した実施形態に係るパレット１にあっては、デッキ部２は、幅が１１２０ｍｍ、長さが１１２０ｍｍ、厚さが６０ｍｍ程度の矩形状のものに形成されている。
【００１３】
上記脚部３は、デッキ部２を支え、４方向からフォークリフトの爪を差し込む間隙を確保するものであり、デッキ部２の下面の少なくとも四隅に形成されている。脚部３は、図１に示したように、上記四隅（この四隅に形成された脚部を図において「３ａ」の符号を付す。）の他、四隅の中間（この四隅の中間に形成された脚部を図において「３ｂ」の符号を付す。）、及びデッキ部の中央（このデッキ部の中央に形成された脚部を図において「３ｃ」の符号を付す。）にも形成されていることが好ましく、この場合には合計９個の脚部３が形成されたものとなる。
【００１４】
上記脚部３の形状は、特には限定されないが、４方向からフォークリフトの爪を差し込む間隙を形成すると共に設置面積を確保する観点からは四角柱状の脚部とすることが好ましいが、フォークリフトの爪が当たり難くまた破損し難いものとする観点からは角部のない円柱状の脚部とすることが好ましい。図示した実施形態に係るパレット１においては、上記の両者の兼ね合いから、デッキ部２の四隅に設けた脚部３ａはデッキ部２の周側面に連なる２面の側面を除く側面部分を弧状側面とした底面視扇形状の脚部に形成し、デッキ部２の四隅の中間に設けた脚部３ｂはデッキ部２の周側面に連なる１面の側面を除く側面部分を弧状側面とした底面視半円弧形状の脚部に形成し、デッキ部２の中央に形成した脚部３ｃは設置面積を確保する観点から四角柱状の脚部に形成している。
【００１５】
脚部３の高さ（Ｈ）は、フォークリフトの爪を差し込む作業性の観点から５０〜９０ｍｍが好ましく、６０〜８０ｍｍであることが更に好ましい。また、デッキ部２の厚さと脚部３の高さとの合計厚さ（Ｍ）は、成形サイクル短縮と軽量性との観点から９０〜１７０ｍｍであることが好ましく、１１０〜１５０ｍｍであることがより好ましい。
【００１６】
上記したデッキ部２と脚部３との境界部は、Ｒ２０〜Ｒ１００のＲ状に形成されていることが好ましい。Ｒ状に形成されていないと脚部とデッキ部との境界部が角部を有するものとなり、パレットに荷重がかかった際に該角部に応力が集中して該境界部から亀裂が生じ易くなる。なお、Ｒ状とは、デッキ部２と脚部３との境界部が曲面形状からなることを示す。例えば、Ｒ２０であれば半径が２０ｍｍの曲面で形成されていることを示す。上記観点から、デッキ部２と脚部３との境界部は、Ｒ３０以上であることが好ましく、Ｒ５０以上であることがより好ましい。一方、フォークリフトの爪を挿入し易くするという観点からは、Ｒ９０以下であることが好ましく、Ｒ８０以下であることがより好ましい。
【００１７】
上記脚部３には、少なくとも脚部の接地面側に開口部を有する凹陥部４が形成されている。該凹陥部４は、すべての脚部３ａ，３ｂ，３ｃにそれぞれ凹陥部４ａ，４ｂ，４ｃが形成されていることが成形サイクル短縮と軽量化の観点から好ましいが、少なくとも四隅に設けた脚部３ａには脚カバーを装着する観点からそれぞれ凹陥部４ａが形成されている。図示した実施形態に係るパレット１においては、脚部３ａ，３ｂ，３ｃの全てに、それぞれ接地面側のみに開口している凹陥部４ａ，４ｂ，４ｃが形成されている。これらの脚部３に形成した凹陥部４は、強度の観点などから、デッキ部２と脚部３の合計厚さ（Ｍ）に対する、パレットの厚さ方向における凹陥部４の深さ（Ｎ）は、８０％以下であることが好ましく、６０％以下であることがより好ましい。一方、軽量性の観点からは、デッキ部２と脚部３の合計厚さ（Ｍ）に対する、パレットの厚さ方向における凹陥部４の深さ（Ｎ）が、２０％以上であることが好ましく、４０％以上であることがより好ましい。
【００１８】
凹陥部４の形状は、少なくとも四隅の脚部３ａに設けた凹陥部４ａにあっては、接地面側の開口部が円形状或いは正方形状であるものとする。これは脚部の割れや欠けを防止する観点、また脚カバーの装着性の観点からである。図示した実施形態に係るパレット１においては、四隅の脚部３ａ及び四隅中間の脚部３ｂには、それぞれ接地面側の開口部が円形状である凹陥部４ａ，４ｂを形成し、中央の脚部３ｃには、開口部が正方形状の凹陥部４ｃを形成している。開口部における円形状或いは正方形状は、縦横（図４（ａ），図５（ａ），図６（ａ）参照）の寸法差［〔（Ｄ−Ｄ）／Ｄ〕×１００］が±１％以下であることが好ましく、±０．５％以下であることがより好ましく、０％であることがさらに好ましい。
また、凹陥部４は、脚部３の総接地面積に対する、凹陥部４における接地面の合計開口面積の割合が１０％以上５０％以下を満足するものとすることが好ましい。上記を満足すると、脚部の圧縮量が大きくなり過ぎるおそれや脚部に割れ、欠けが生じるおそれを抑制することができる。上記観点から、脚部３の総接地面積に対する、凹陥部４における接地面の合計開口面積の割合は、４５％以下が好ましく、４０％以下がより好ましい。また、脚部３の総接地面積に対する、凹陥部４における接地面の合計開口面積の割合の下限は、凹陥部を設けることによる成形サイクル短縮と軽量化の実効を図る観点から、１２％以上であることが好ましい。
なお、上記脚部の総接地面積とは、脚部の外径寸法から求めた合計面積から凹陥部における接地面の合計開口面積を除いた、パレット使用時に床面に接する面積である。
【００１９】
上記デッキ部２と脚部３とからなるパレット１は、発泡倍率が３０〜１００倍の合成樹脂発泡体の一体成形体として形成されている。特に本考案は、後述するように、脚カバー３０の突部３２の外径寸法における長径（Ｌ１）が、上記パレットの脚部３に形成された凹陥部４の開口部内径（Ｄ）よりも大きい（Ｌ１＞Ｄ）ものであるため、脚カバーの突部３２の外径寸法における長径（Ｌ１）によりパレットの凹陥部４の開口部が圧縮されて押し広げられることとなる。一般に発泡体における圧縮変形は、発泡倍率が高い方が変形し易くなる傾向にある。かかる観点から、パレット１は、発泡倍率の下限が４０倍であることが好ましく、５０倍であることがより好ましい。一方、十分な単位面積当たりの荷重保持力を有し、荷物の載置による発泡体の損壊を抑制する観点から、発泡倍率の上限は、８０倍が好ましく、７０倍がより好ましい。パレット１の発泡倍率が上記範囲であると軽量性に優れ、かつ十分な単位面積当たりの荷重保持力を有し、荷物の載置による発泡体の損壊を抑制することができると共に、適度な撓み性を有するものとなり、脚カバー３０の装着が容易なものとなる。
【００２０】
上記したパレット１を形成するための合成樹脂としては、ポリスチレン、耐衝撃性ポリスチレン等のポリスチレン系樹脂、ポリプロピレン、ポリエチレン等のポリオレフィン系樹脂、ポリエチレンテレフタレート、ポリ乳酸等のポリエステル系樹脂等を挙げることができる。これらの中でも、圧縮等の機械的物性、軽量性、更には経済性に優れることからポリスチレン系樹脂が好ましい。ポリスチレン系樹脂を用いた場合には、その発泡倍率は４０〜９０倍であることが好ましく、５０〜７０倍であることがより好ましく、５５〜６５倍であることがさらに好ましい。
【００２１】
なお、上記ポリスチレン系樹脂には、ポリスチレンの他に、基材樹脂中のスチレン成分単位が５０重量％以上である、スチレンと他のコモノマー成分との共重合体（スチレン系共重合体）やポリスチレンと他の熱可塑性樹脂との混合物や複合樹脂が包含される。より具体的には、ポリスチレンやスチレンを主成分とするスチレン−無水マレイン酸共重合体、スチレン−ポリフェニレンエーテル共重合体、スチレン−アクリロニトリル共重合体、スチレン−ブタジエン共重合体、スチレン−アクリロニトリル−ブタジエン共重合体、耐衝撃性ポリスチレン、ポリスチレンまたはスチレン系共重合体とポリオレフィン系樹脂との複合樹脂等が挙げられる。上記スチレン系樹脂におけるスチレン成分単位は６０重量％以上含まれていることが好ましく、特に８０重量％以上含まれていることが好ましい。
【００２２】
また、上記パレット１を形成する発泡成形体の形態としては、上記した形状や、大きな形状のパレットであっても容易に製造できることから、発泡粒子を型内に充填して加熱成形された発泡粒子成形体が好ましい。この発泡粒子成形体は、例えば樹脂粒子に発泡剤を含浸させて発泡性樹脂粒子を作製し、前記発泡性樹脂粒子を発泡させて発泡粒子を得て、前記発泡粒子を所定形状の金型内に充填し、蒸気等で加熱して発泡粒子を融着させて型内成形することで得ることができる。
【００２３】
上記した合成樹脂発泡体製パレット１は、摩擦係数が高く、また損傷し易いものであるため、少なくとも四隅の脚部３には、脚カバー３０が装着されている。図示した実施形態にあっては、四隅の脚部３ａのみならず、四隅中央の脚部３ｂ及び中央の脚部３ｃにも、それぞれ脚カバー３０ａ，３０ｂ，３０ｃが装着されている。
【００２４】
脚カバー３０は、上記したパレットの脚部３に形成された凹陥部４を利用して脚部３に装着されるもので、パレットの脚部３の接地面と同形状の底部３１と、該底部３１の中央付近から立ち上る先細りの突部３２とを有している。この脚カバー３０は、突部３２がパレットの脚部３に形成された凹陥部４に挿入されて取り付けられる。
脚カバー３０は、底部３１の周縁から立ち上がる側壁部３３を有することが好ましい。脚カバー３０が側壁部３３を有する場合には、側壁部３３が脚部３の外側表面を覆い、パレットの脚部３と脚カバー３０との嵌合性をさらに向上させることができる。
【００２５】
脚カバー３０の突部３２の底部３１から立ち上がる部分の断面形状は、上記パレット１の脚部３に形成された凹陥部４の開口部が円形状である場合には楕円形状に形成され、上記パレット１の脚部３に形成された凹陥部４の開口部が正方形状である場合には楕円形状或いは長方形状に形成されている。そして、上記パレットの脚部３に形成された凹陥部４の開口部内径（Ｄ）と、上記脚カバーの突部３２の外径寸法における長径（Ｌ１）及び短径（Ｌ２）とが、以下の式１及び式２を満足する形状に形成されている。
Ｌ１  ＞  Ｄ  ＞  Ｌ２    ・・・式１
１．２  ＞  Ｌ１／Ｄ      ・・・式２
なお、上記パレットの脚部３に形成された凹陥部４の開口部内径（Ｄ）とは、開口部が円形状である場合は該円の直径であり、開口部が正方形状である場合は該正方形の一辺の長さである。また、上記脚カバーの突部３２の外径寸法における長径（Ｌ１）及び短径（Ｌ２）とは、底部から立ち上がる部分の突部の断面形状が楕円形状である場合は該楕円の長軸及び短軸のそれぞれの長さであり、底部から立ち上がる部分の突部の断面形状が長方形状である場合は該長方形の長辺及び短辺のそれぞれの長さである。また、上記楕円とは、長円をも含むものである。長円とは、１対の半円の間に直線部分が設けられている、いわゆる陸上競技のトラックのような形状である。
上記式１を満足しない脚カバー付き合成樹脂発泡体製パレットである場合には、嵌合強度に劣り、パレット使用時に脚カバーが外れてしまうおそれがある。また、式２を満足しない脚カバー付き合成樹脂発泡体製パレットである場合には、開口部内径（Ｄ）に対して長径（Ｌ１）が大きすぎるため、脚カバーが嵌らないおそれや脚カバーが嵌め難くなるおそれがある。一方、式１及び式２を満足する脚カバー付き合成樹脂発泡体製パレットである場合には、パレットの脚部３に形成された凹陥部４の開口部内径（Ｄ）よりも脚カバーの突部３２の外径寸法における長径（Ｌ１）の方が大きいため、脚カバーの突部３２により、パレットの凹陥部４の開口部が圧縮されて押し広げられ、嵌合強度に優れる脚カバー付き合成樹脂発泡体製パレットとなる。また、脚カバーの突部３２の外径寸法における短径（Ｌ２）よりもパレットの脚部３に形成された凹陥部４の開口部内径（Ｄ）の方が大きいため、パレットの脚部３に形成された凹陥部４と脚カバーの突部３２との間に僅かな隙間が形成されることとなり、パレットの脚部３に形成された凹陥部４の中の空気がその隙間から排出され、脚カバー３０が嵌め易い脚カバー付き合成樹脂発泡体製パレットとなる。
上記した観点から、パレットの脚部に形成された凹陥部の開口部内径（Ｄ）と、上記脚カバーの突部の外径寸法における長径（Ｌ１）及び短径（Ｌ２）とが、上記の式１及び下記の式４を満足するものとすることが好ましい。
１．１０  ＞  Ｌ１／Ｄ  ＞１．０１    ・・・式４
【００２６】
図７（ｂ）に示す上記脚カバー３０の突部３２の角度（θ２）は、８０〜８９度であることが好ましく、８３〜８８．５度であることがより好ましい。
また、図７（ａ）に示すパレット脚部３の凹陥部４の角度（θ１）は、８５〜９０度であることが好ましく、８６〜８９度であることがより好ましい。
角度（θ１）を角度（θ２）で割った値（θ１／θ２）の上限は、１．２であることが好ましく、１．１であることがより好ましく、１．０５であることがさらに好ましい。一方、角度（θ１）を角度（θ２）で割った値（θ１／θ２）の下限は、１．００であることが好ましく、１．０１であることがより好ましい。また、上記パレットの脚部の凹陥部の側面と上記脚カバーの突部の側面との角度差（θ１−θ２）が、０〜５度であることが好ましく、１〜３度であることがより好ましい。
上記範囲を満足すると、パレットの脚部３と脚カバー３０との嵌め易さ、および嵌合強度がさらに優れる脚カバー付き合成樹脂発泡体製パレットとすることができる。
上記パレット脚部３の凹陥部４の形状は、開口部が円形状である場合には円柱または円錐台となり、開口部が正方形状である場合には正四角柱または正四角錐台となる。上記脚カバー３０の突部３２の形状は、底部から立ち上がる部分の突部の断面形状が楕円形状である場合には楕円錐台となり、底部から立ち上がる部分の突部の断面形状が長方形状である場合には長辺及び短辺を有する四角錐台となる。
【００２７】
脚カバー３０の側壁部３３の高さ（Ｔ）は、１０〜５０ｍｍが好ましく、１５〜４０ｍｍが更に好ましい。１０ｍｍ以上であればパレットの脚部３から外れ難くなり、５０ｍｍ以下であると軽量性に優れると共に、装着し易くなる。
また同様の観点から、上記パレットの脚部３の高さ（Ｈ）に対する、上記脚カバーの側壁部３３の高さ（Ｔ）が、下記の式３を満足することが好ましく、下記の式５を満足することが更に好ましい。
Ｔ／Ｈ  ＝  ０．１〜０．５    ・・・式３
Ｔ／Ｈ  ＝  ０．２〜０．４    ・・・式５
【００２８】
脚カバー３０の厚みは、０．２〜０．８ｍｍであることが好ましく、０．３〜０．６ｍｍであることがより好ましい。脚カバーの厚さが上記範囲を満足するものである場合には、強度に優れ、かつ軽量性にも優れる脚カバー３０とすることができる。
なお、上記脚カバーの厚さは、脚カバーの底部及び突部から３カ所ずつ無作為に厚みを測定し、それらの測定値の平均値である。
【００２９】
上記脚カバー３０を形成するための合成樹脂としては、耐衝撃性ポリスチレン等のポリスチレン系樹脂、ポリエチレンテレフタレート等のポリエステル系樹脂、スチレン−ブタジエン共重合体、スチレン−アクリロニトリル−ブタジエン共重合体、ポリスチレンまたはスチレン系共重合体とポリオレフィン系樹脂との複合樹脂等が挙げられる。上記の中でも、機械的物性に優れる観点からはポリエチレンテレフタレート系樹脂又は耐衝撃性ポリスチレン系樹脂が好ましい。
【００３０】
また、上記脚カバー３０の形態としては、特に限定されるものではないが、上記した形状を容易に製造できることから、真空成形やインジェクション成形が好ましい。
【００３１】
パレット１と脚カバー３０との嵌合強度の観点からは、脚カバー３０に貫通孔が形成されていないことが好ましい。なお、上記脚カバー３０の突部形状は、突部の断面図において図８に概念的に示した（ａ），（ｂ）の両者の突部形状をも本明細書において含むものである。なお、図８（ａ）は一方が開放された形状を示し、図８（ｂ）は封鎖された形状をそれぞれ示す。上記突部形状の中でも軽量性の観点から、上記脚カバー３０の突部形状は、一方が開放された（ａ）に示した形状であることが好ましい。
【００３２】
図４〜図６は、図１に示した実施形態に係る脚カバー付き合成樹脂発泡体製パレットの脚部及び脚カバーをそれぞれ示した図であって、図４（ａ）は四隅に設けた脚部の底面図、図４（ｂ）は四隅に設けた脚部に装着する脚カバーの底面図、図５（ａ）は四隅中央に設けた脚部の底面図、図５（ｂ）は四隅中央に設けた脚部に装着する脚カバーの底面図、図６（ａ）は中央に設けた脚部の底面図、図６（ｂ）は中央に設けた脚部に装着する脚カバーの底面図を、それぞれ示した図である。
【００３３】
図４（ａ）に示したように、四隅の脚部３ａには、接地面側の開口部が円形状である凹陥部４ａが形成されており、図４（ｂ）に示したように、四隅に設けた脚部に装着する脚カバー３０ａには、底部３１ａから立ち上がる部分の断面形状が楕円形状である突部３２ａが形成されている。そして、上記脚部３ａに形成された凹陥部４ａの開口部内径（Ｄ）と、上記脚カバーの楕円形状突部３２ａの外径寸法における長径（Ｌ１）及び短径（Ｌ２）とが、上記した式１及び式２を満足する形状に形成され、脚部３ａと脚カバー３０ａとの嵌合強度が適度なものとされている。
【００３４】
また、図５（ａ）に示したように、四隅中央の脚部３ｂには、やはり接地面側の開口部が円形状である凹陥部４ｂが形成されており、図５（ｂ）に示したように、四隅中央に設けた脚部に装着する脚カバー３０ｂには、底部３１ｂから立ち上がる部分の断面形状が楕円形状である突部３２ｂが形成されている。そして、上記脚部３ｂに形成された凹陥部４ｂの開口部内径（Ｄ）と、上記脚カバーの楕円形状突部３２ｂの外径寸法における長径（Ｌ１）及び短径（Ｌ２）とが、上記した式１及び式２を満足する形状に形成され、脚部３ａと脚カバー３０ａとの嵌合強度が適度なものとされている。
【００３５】
また、図６（ａ）に示したように、中央の脚部３ｃには、接地面側の開口部が正方形状である凹陥部４ｃが形成されており、図６（ｂ）に示したように、該中央に設けた脚部に装着する脚カバー３０ｃには、底部３１ｃから立ち上がる部分の断面形状が長方形状である突部３２ｃが形成されている。そして、上記脚部３ｃに形成された凹陥部４ｃの開口部内径（Ｄ）と、上記脚カバーの長方形状突部３２ｃの外径寸法における長辺長さ（Ｌ１）及び短辺長さ（Ｌ２）とが、上記した式１及び式２を満足する形状に形成され、脚部３ｃと脚カバー３０ｃとの嵌合強度が適度なものとされている。
【００３６】
上記した本考案の実施形態に係る脚カバー付き合成樹脂発泡体製パレット１によれば、３０〜１００倍と高発泡の合成樹脂発泡体製パレット１の脚部３に合成樹脂からなる脚カバー３０を装着したものであるので、軽量性を維持しつつ滑り性に優れるものとなり、トラックへの積み込み、荷下ろしの際の荷台床面と脚部の抵抗が少なく、積み込み、荷下ろしが容易なものとなる。また、パレット１が高発泡であるために撓み易く、さらに脚カバー３０の底部３１から立ち上がる部分の突部３２の断面形状が楕円形状或いは長方形状であり、パレットの脚部に形成された円形状或いは正方形状の凹陥部４の開口部内径（Ｄ）と、前記突部３２の外径寸法における長径（Ｌ１）及び短径（Ｌ２）とが特定の関係式を満足することにより、パレット１への脚カバー３０の嵌合が容易であり、パレット１と脚カバー３０との嵌合強度に優れるものとなる。 
【実施例】
【００３７】
以下、本考案に係る合成樹脂発泡体製パレットの実施例を比較例と共に記載するが、本考案は、何らこれらの実施例に限定されるものではない。
【００３８】
−実施例１−
〔パレット〕
ポリスチレン系樹脂発泡粒子を用いて、型内成形することにより発泡倍率が６０倍（密度１６．７ｋｇ／ｍ3）のポリスチレン系樹脂発泡成形体からなる合成樹脂発泡体製パレット１（重量１．６ｋｇ）を製造した。
このパレット１は、デッキ部２が、幅が１１００ｍｍ、長さが１１００ｍｍ、厚さが６０ｍｍの矩形状のものであり、そのデッキ部の下面の四隅に、半径２００ｍｍの４分の１円弧の底面視扇形状の高さ（Ｈ）７０ｍｍの脚部３ａが、四隅の中間に、半径１００ｍｍの半円と２００ｍｍ×１００ｍｍの方形からなる底面視半円弧形状の高さ（Ｈ）７０ｍｍの脚部３ｂが、中央に、２００ｍｍ角の底面視四角形状の高さ（Ｈ）７０ｍｍの脚部３ｃがそれぞれ一体的に形成され、上記四隅の脚部３ａの底面に、直径（Ｄ）５５ｍｍ、深さ（Ｎ）７０ｍｍ、角度（θ１）８９度の先細りの開口部円形状の凹陥部４ａが、上記四隅の中間の脚部３ｂの底面に、直径（Ｄ）６８ｍｍ、深さ（Ｎ）７０ｍｍ、角度（θ１）８９度の先細りの開口部円形状の凹陥部４ｂが、そして中央の脚部３ｃの底面に、一辺（Ｄ）９５ｍｍ角、深さ（Ｎ）７０ｍｍ、角度（θ１）８９度の先細りの開口部正方形状の凹陥部４ｃが、それぞれ形成されている。
〔脚カバー〕
厚さ０．７ｍｍのポリエチレンテレフタレートシートを用い真空成形によって、パレット１の上記脚部３ａ，３ｂ，３ｃのそれぞれの接地面と同形状の底部３１ａ，３１ｂ，３１ｃと、該底部３１ａ，３１ｂ，３１ｃの中央付近から立ち上る先細りの突部３２ａ，３２ｂ，３２ｃと、底部３１ａ，３１ｂ，３１ｃの周縁から立ち上る側壁部３３ａ，３３ｂ，３３ｃとをそれぞれ有する、脚カバー３０ａ，３０ｂ，３０ｃを製造した。
パレット１の四隅に形成された脚部３ａに装着する脚カバー３０ａは、底部３１ａから立ち上がる部分の断面形状が楕円形状である突部３２ａが形成され、該楕円形状突部３２ａの外径寸法における長径（Ｌ１）は５６．４ｍｍ、短径（Ｌ２）は５４．４ｍｍ、角度（θ２）は８８度であった。また側壁部３３ａの高さ（Ｔ）は３０ｍｍであった。すなわち、Ｌ１  ＞  Ｄ  ＞  Ｌ２、Ｌ１／Ｄ  ＝  １．０３、θ１−θ２  ＝１度  の関係を有する突部３２ａと、Ｔ／Ｈ  ＝  ０．４３  の関係を有する側壁部３３ａとを有する脚カバー３０ａとした。
パレット１の四隅中央に形成された脚部３ｂに装着する脚カバー３０ｂは、やはり底部３１ｂから立ち上がる部分の断面形状が楕円形状である突部３２ｂが形成され、該楕円形状突部３２ｂの外径寸法における長径（Ｌ１）は６９．４ｍｍ、短径（Ｌ２）は６７．４ｍｍ、角度（θ２）は８８度であった。側壁部３３ｂの高さ（Ｔ）は３０ｍｍであった。すなわち、Ｌ１  ＞  Ｄ  ＞  Ｌ２、Ｌ１／Ｄ  ＝  １．０２、θ１−θ２  ＝  １度  の関係を有する突部３２ｂと、Ｔ／Ｈ  ＝  ０．４３  の関係を有する側壁部３３ｂとを有する脚カバー３０ｂとした。
パレット１の中央に形成された脚部３ｃに装着する脚カバー３０ｃは、底部３１ｃから立ち上がる部分の断面形状が長方形状である突部３２ｃが形成され、該長方形状突部３２ｃの外径寸法における長辺の長さ（Ｌ１）は９６．４ｍｍ、短辺の長さ（Ｌ２）は９４．４ｍｍ、角度（θ２）は８８度であった。側壁部３３ｃの高さ（Ｔ）は３０ｍｍであった。すなわち、Ｌ１  ＞  Ｄ  ＞  Ｌ２、Ｌ１／Ｄ  ＝  １．０１、θ１−θ２  ＝  １度  の関係を有する突部３２ｃと、Ｔ／Ｈ  ＝  ０．４３  の関係を有する側壁部３３ｃとを有する脚カバー３０ｃとした。
〔パレットへの脚カバーの装着〕
上記したパレットの脚部３ａ，３ｂ，３ｃに、それぞれ上記した脚カバー３０ａ，３０ｂ，３０ｃを接着剤を使用することなく装着した。
【００３９】
−実施例２−
厚さ０．４ｍｍのポリエチレンテレフタレートシートを用いて製造した以外は、上記実施例１と同様の脚カバーを作製し、上記パレットの脚部にそれぞれ装着した。
【００４０】
−実施例３−
厚みが０．４ｍｍの耐衝撃性ポリスチレンを用いて製造した以外は、上記実施例１と同様の脚カバーを作製し、上記パレットの脚部にそれぞれ装着した。
【００４１】
−実施例４−
厚みが０．８ｍｍの耐衝撃性ポリスチレンを用いて製造した以外は、上記実施例１と同様の脚カバーを作製し、上記パレットの脚部にそれぞれ装着した。
【００４２】
−実施例５−
上記パレットの四隅の脚部３ａのみに、上記実施例１で製造した脚カバー３０ａを装着した。
【００４３】
−比較例１−
上記パレットの脚部の全てに、脚カバーが装着されていないパレットとした。
【００４４】
−比較例２−
上記パレットの四隅に形成された脚部３ａに装着する脚カバー３０ａを、円形状突部３２ａを有するものとし、該円形状突部の外径寸法における長径（Ｌ１）が５５．０ｍｍ、短径（Ｌ２）が５５．０ｍｍとした。すなわち、パレットの脚部３ａに形成された凹陥部４ａの開口部内径（Ｄ）と同一寸法の円形突部３２ａを有するものとし、Ｌ１  ＞  Ｄ  ＞  Ｌ２を満足しない脚カバー３０ａを装着した。上記以外は実施例１と同様のパレットとした。
【００４５】
−比較例３−
上記パレットの四隅に形成された脚部３ａに装着する脚カバー３０ａを、円形状突部３２ａを有するものとし、該円形状突部の外径寸法における長径（Ｌ１）が５３．０ｍｍ、短径（Ｌ２）が５３．０ｍｍとした。すなわち、パレットの脚部３ａに形成された凹陥部４ａの開口部内径（Ｄ）より小さい寸法の円形突部３２ａを有するものとし、Ｌ１  ＞  Ｄ  ＞  Ｌ２を満足しない脚カバー３０ａを装着した。
上記パレットの四隅の中間に形成された脚部３ｂに装着する脚カバー３０ｂを、円形状突部３２ｂを有するものとし、円形状突部の外径寸法における長径（Ｌ１）が６６．０ｍｍ、短径（Ｌ２）は６６．０ｍｍとした。すなわち、パレットの脚部３ｂに形成された凹陥部４ｂの開口部内径（Ｄ）より小さい寸法の円形突部３２ｂを有するものとし、Ｌ１  ＞  Ｄ  ＞  Ｌ２を満足しない脚カバー３０ｂを装着した。
上記パレットの中央に形成された脚部３ｃに装着する脚カバー３０ｃを、正方形状突部３２ｃを有するものとし、該正方形状突部の外径寸法における長辺の長さ（Ｌ１）は９３．０ｍｍ、短辺の長さ（Ｌ２）を９３．０ｍｍとした。すなわち、パレットの脚部３ｃに形成された凹陥部４ｃの開口部内径（Ｄ）より小さい寸法の正方形状突部３２ｃを有するものとし、Ｌ１  ＞  Ｄ  ＞  Ｌ２を満足しない脚カバー３０ｃを装着した。
上記以外は実施例１と同様のパレットとした。
【００４６】
上記した実施例及び比較例の各パレットについて、それぞれ下記の評価を行なった。
【００４７】
〔脚部滑り性（摩擦係数）の評価〕
上記した実施例及び比較例の各パレットにそれぞれ５０ｋｇの錘を載せ（合計５１．６ｋｇ）、水平方向に引っ張った。このときの脚部と床面との間で生じる摩擦力をバネ秤で測定し、バネ秤で測定した値をパレットと錘との合計重量で割ることにより摩擦係数を算出した。その算出した摩擦係数を表１に記載する。
〔脚カバーの嵌め易さの評価〕
図９に示したように、実施例及び比較例の各パレットについて、それぞれ脚部３が上方となるよう水平面に置き、その脚部３に、脚カバー３０の側壁部３３の３〜５ｍｍを挿入した。次いで、脚カバー３０の上方に水平に縦２５０ｍｍ、横２５０ｍｍ、厚さ１２ｍｍ、重さ５２０ｇの板を置き、その板の上に３０ｋｇの錘（１８０ｍｍ×１８０ｍｍ×１８０ｍｍ）を水平に載せた。
錘を取り除いた後、目視でパレット脚部３の底と脚カバー３０の底部３１との間に隙間が有るか否か、すなわち脚カバー３０が脚部３に完全に装着されているか否かを確認し、パレット脚部３の底と脚カバー３０の底部３１との間に隙間が無いものを○、隙間が有るものを×と評価した。その評価結果を表１に併記する。
〔脚カバーの嵌合強度の評価〕
図１０に示したように、実施例及び比較例の各パレットについて、脚カバー３０を装着したパレット１を、該パレット１のデッキ部２に接するように、長さ１２００ｍｍ、幅２００ｍｍの木製の台の上に置いた。この台から垂直に５００ｍｍパレット１を上方に持ち上げ、その位置からパレット１を台上に落下させた。その後、パレット脚部３を目視で確認し、４隅の脚カバー３０が外れずに保持されている場合を〇、４隅の脚部の内１カ所でも脚カバー３０が外れている場合を×と評価した。その評価結果を表１に併記する。
【００４８】
【表１】
0003220486.tif 000003
なお、脚カバーの嵌合強度の評価において、パレットの四隅の脚部３ａだけでなく脚部３ｂ，脚部３ｃにも脚カバー３０を装着した実施例１〜４および比較例２は、各例において全ての脚カバー３０が保持されていた。
【産業上の利用可能性】
【００４９】
上記した本考案に係る脚カバー付き合成樹脂発泡体製パレットは、みかん、大根、バレイショ、白菜、人参等の果実、野菜などの、比較的軽量で且つ衛生的であることが要求される物品の搬送に用いるワンウェイタイプのパレットとして、好適に使用することができる。
【符号の説明】
【００５０】
１    合成樹脂発泡体製パレット
２    デッキ部
３，３ａ，３ｂ，３ｃ    脚部
４，４ａ，４ｂ，４ｃ    凹陥部
３０，３０ａ，３０ｂ，３０ｃ    脚カバー
３１，３１ａ，３１ｂ，３１ｃ    底板
３２，３２ａ，３２ｂ，３２ｃ    突部
３３，３３ａ，３３ｂ，３３ｃ    側壁部
【図１】
0003220486.tif 000004
【図２】
0003220486.tif 000005
【図３】
0003220486.tif 000006
【図４】
0003220486.tif 000007
【図５】
0003220486.tif 000008
【図６】
0003220486.tif 000009
【図７】
0003220486.tif 000010
【図８】
0003220486.tif 000011
【図９】
0003220486.tif 000012
【図１０】
0003220486.tif 000013